(57)【特許請求の範囲】
【請求項１】
複数のマイクロレンズを２次元的に配列したマイクロレンズアレイにおいて、
前記マイクロレンズの、マイクロレンズ間の境界のうち少なくとも１つの境界もしくはその付近に偏向手段を有し、
前記偏向手段は、当該偏向手段を設けたマイクロレンズ間の境界に入射する光束を当該境界に沿った方向へ偏向させることを特徴とするマイクロレンズアレイ。
【請求項２】
前記偏向手段は、前記マイクロレンズの配列面に対して垂直な方向から見たときに、当該偏向手段が設けられているマイクロレンズ間の境界と垂直な方向に一様な断面形状となったパターンによって構成されていることを特徴とする、請求項１に記載のマイクロレンズアレイ。
【請求項３】
前記偏向手段は、プリズムによって構成されていることを特徴とする、請求項１に記載のマイクロレンズアレイ。
【請求項４】
前記偏向手段は、回折格子によって構成されていることを特徴とする、請求項１に記載のマイクロレンズアレイ。
【発明の詳細な説明】
【０００１】
【発明の属する技術分野】
本発明はマイクロレンズアレイに関する。特に、液晶プロジェクタやディスプレイ用の液晶表示装置などに用いられるマイクロレンズアレイに関する。
【０００２】
【従来の技術】
液晶表示パネルを用いたプロジェクタが提供されているが、このような液晶プロジェクタには、スクリーン前面に画像を投射してスクリーンの前面から観賞するフロント方式のものと、スクリーン背面に画像を投射してスクリーンの前面から観賞するリア方式のものとがある。
【０００３】
（プロジェクタ用の液晶表示装置）
図１は、このようなフロント方式又はリア方式の液晶プロジェクタ１の基本構成を示す図である。メタルハライドランプ等の光源２はリフレクタ（放物面鏡）３の焦点位置に配置されており、光源２から出射された光束はリフレクタ３によって反射されることによって平行光束に変換される。リフレクタ３の前方には、液晶表示装置７が配置されている。この液晶表示装置７は、透過型液晶表示パネル５の両面に偏光板４、６を設けたものである。そして、リフレクタ３で反射された平行光束が液晶表示装置７を透過することにより画像が生成される。液晶表示装置７で生成された画像は、投射レンズ８によりスクリーン９上に結像される。
【０００４】
上記液晶表示装置７としては、図２に示すように、輝度アップを目的としてマイクロレンズアレイ１１を用いた画像表示装置が提案されている。この液晶表示装置７は、液晶表示パネル５にマイクロレンズアレイ１１を対向させたものである。液晶表示パネル５は、ＴＦＴ（薄膜トランジスタ）を駆動する配線等が設けられたブラックマトリクス領域１２や透明電極等を形成されたガラス基板１３と共通全面電極を形成されたガラス基板１４との間に液晶材料１５を封止したものであって、ブラックマトリクス領域１２によって囲まれた透明電極の部分が画素開口１６となっており、マイクロレンズアレイ１１の各マイクロレンズ１７は液晶表示パネル５の各画素開口１６に対向するように配置されている。
【０００５】
マイクロレンズアレイを用いない液晶表示装置の場合には、図３（ａ）に示すように、平行光束がそのまま液晶表示パネル５に照射するので、ブラックマトリクス領域１２に照射された光はブラックマトリクス領域１２で遮られ、光の利用効率が低下し、画像表示装置の輝度が低下する。
【０００６】
これに対し、図２のように液晶表示パネル５の光入射側にマイクロレンズアレイ１１を配置した液晶表示装置７では、図３（ｂ）に示すように、マイクロレンズアレイ１１に入射した光は各マイクロレンズ１７によって各画素開口１６に集光され、液晶表示装置７に入射した光がすべて画素開口１６を透過することになる。このため、マイクロレンズアレイ１１を用いることによって光の利用効率を向上させることができ、明るい画像を得ることができる。
【０００７】
（単板式のカラー液晶表示装置）
また、カラー液晶プロジェクタには、図４に示すような単板式のカラー液晶表示装置２１が用いられる。このカラー液晶表示装置２１にあっては、ハロゲンランプ等の白色光源２２に対して３枚のダイクロイックミラー２５Ｒ、２５Ｇ、２５Ｂが互いにαだけ角度を異ならせて配置されている。白色光源２２から出射された白色光Ｗは直接に、あるいは反射鏡２３で反射された後、コリメートレンズ２４によって平行光束に変換され、ダイクロイックミラー２５Ｒ、２５Ｇ、２５Ｂに入射する。ダイクロイックミラー２５Ｒは、入射光のうち緑色光Ｇ及び青色光Ｂを透過させて赤色光Ｒだけを反射する。ダイクロイックミラー２５Ｇは、ダイクロイックミラー２５Ｒを透過した緑色光Ｇ及び青色光Ｂのうち、青色光Ｂを透過させて緑色光Ｇだけを反射する。ダイクロイックミラー２５Ｂは、ダイクロイックミラー２５Ｒ及び２５Ｇを透過した青色光Ｂを反射する。この結果、液晶表示パネル２７の光入射側に配置されたマイクロレンズアレイ２６には、緑色光Ｇが垂直入射し、赤色光Ｒ及び青色光Ｂが緑色光Ｇに対して２αの角度をもって入射する。ここで、図５に示すように、液晶表示パネル２７の赤、緑、青の３画素（１絵素）に対して１つのマイクロレンズ３２を対応させ、Ｌ＝ｆ・２α（ただし、Ｌは赤、緑、青の画素の中心間距離、ｆはマイクロレンズの焦点距離）となるように設計しておけば、赤色光Ｒは赤色画素の画素開口３１Ｒ内に集光され、緑色光Ｇは緑色画素の画素開口３１Ｇ内に集光され、青色光Ｂは青色画素の画素開口３１Ｂ内に集光され、赤色画像、緑色画像および青色画像の混合画像としてカラー画像が生成される。
【０００８】
こうして液晶表示パネル２７を透過した光は、集光レンズ２８及び結像レンズ２９を透過した後、スクリーン３０上に投影され、スクリーン３０上にカラー画像が投影される。
【０００９】
このように単板式カラー液晶表示装置２１の場合にも、マイクロレンズアレイ２６を用いることにより各色光を各画素開口内に集光させることができ、入射光がブラックマトリクス領域で遮蔽されて光利用効率が低下するのを防止でき、明るい画像を得ることができる。
【００１０】
（光源の大きさによる最小スポット径の問題）
しかしながら、光源は理想的な点光源ではなく、有限な大きさを有している。そのため、例えばマイクロレンズアレイ２６に垂直入射する緑色光のみを考えると、図６に示すようにマイクロレンズアレイ２６の各マイクロレンズ３２を透過した光は、実際には１点で収束しない。すなわち、図６において実線で示した光線３３ａは光源の中心点から出てコリメート化された平行光束を示し、１点鎖線で示した光線３３ｂ及び破線で示した光線３３ｃは光源の端から出てコリメート化された平行光束を示している。光源が大きさを有していると、反射鏡２３やコリメートレンズ２４でコリメート化しても完全な平行光束とならず、光束は図６に示すように有限な広がり角Δθをもってマイクロレンズアレイ２６に入射する。このため液晶表示パネル２７に集光される光（集光スポット）の最小スポット径Ｗは次の▲１▼式で表わされる。ただし、ｆはマイクロレンズ３２の焦点距離（以下、マイクロレンズアレイ２６の焦点距離ということがある）である。
Ｗ＝２Δθ・ｆ      …▲１▼
【００１１】
このため液晶表示装置の設計にあたっては、最小スポット径Ｗが液晶表示パネル２７の画素開口３１Ｒ、３１Ｇ、３１Ｂの大きさＰと同程度、あるいは画素開口３１Ｒ、３１Ｇ、３１Ｂの大きさＰよりわずかに大きくなるように設計しており、光利用効率は光源光の広がり角Δθに依存している。
【００１２】
一方、液晶プロジェクタ用の液晶表示装置、あるいはそれ以外の機器に用いられている液晶表示装置では、近年しだいに高解像度化が進められており、それに伴って画像表示パネルの画素数が増大し、各画素が微細化している。また、液晶表示装置の量産性を高くするため、液晶表示パネルの画面の小型化が進んでおり、それに伴っても液晶表示パネルの画素が微細化している。
【００１３】
こうして液晶表示パネル２７の画素が微細化し、画素開口３１Ｒ、３１Ｇ、３１Ｂが小さくなってくると、それに対応してマイクロレンズアレイ２６を通過した光の最小スポット径Ｗも小さくしないと、図７に示すように、ブラックマトリクス領域３４で光が遮られる割合が大きくなり、マイクロレンズアレイ２６の効果が無くなり、画像が暗くなる。
【００１４】
この場合、画像を明るくしようとして大きな光源を用いると、その分だけ光源から出る光の広がり角Δθも大きくなるので、効果が得られない。そのため、液晶表示パネル２７の画素の微細化に対しては、マイクロレンズアレイ２６の焦点距離を短くするしかない（上記▲１▼式参照）。
【００１５】
マイクロレンズアレイに形成されるマイクロレンズは、入射側の曲率を大きくした方が球面収差の少ないレンズとなるので、従来は図７に示したように液晶表示パネル２７の封止基板（ガラス基板）３５の入射面側にマイクロレンズ３２を形成していた。従って、マイクロレンズアレイ２６の焦点距離を短くしようとすると、封止基板３５を薄くする必要があり、封止基板３５が製造工程中に割れる恐れがあるため、マイクロレンズアレイ２６の焦点距離を短くするのに限界があった。
【００１６】
ここでは、カラー液晶表示装置の緑色光について最小スポット径の問題を説明したが、これは赤色光及び青色光でも同様に問題となる。
【００１７】
（改良された従来例）
そこで、上記のような問題を踏まえて、図８に示すように２枚のガラス基板４２、４３間にマイクロレンズアレイ４４を作り込んでマイクロレンズアレイ基板４５とし、このマイクロレンズアレイ基板４５を液晶表示パネル４１の封止基板として用いられるようになってきている。このマイクロレンズアレイ基板４５は、ガラス基板４２及び４３の間に屈折率の異なる２層の透明樹脂層４６、４７を成形し、透明樹脂層４６、４７の界面にマイクロレンズアレイ４４を形成したものである。そして、このマイクロレンズアレイ基板４５（ガラス基板４３）の上に透明電極やＴＦＴ等のブラックマトリクス領域４８を作製した後、透明電極等を形成された別な封止基板４９との間に液晶材料５０を封止して液晶表示パネル４１を製作している。
【００１８】
図９（ａ）〜（ｄ）は上記のようなマイクロレンズアレイ基板４５の量産工程を示す概略断面図である。マイクロレンズアレイ基板４５のマイクロレンズは、微細な曲率構造を有しているから、切削研磨加工法により製作するのは困難である。そのためマイクロレンズアレイ基板４５は、いわゆる２Ｐ（Photo-Polymerization）法により製作される。図９（ａ）に符号５１で示すものはスタンパ（金型）であって、スタンパ５１の上面にはレンズパターン５２が形成されている。しかして、マイクロレンズアレイ基板４５を製造するには、まずスタンパ５１の上に紫外線硬化樹脂５３（屈折率：１.３５〜１.６０くらい）を供給し、その上から透明なガラス基板４３で押圧する。ガラス基板４３で押圧すると、紫外線硬化樹脂５３はスタンパ５１とガラス基板４３の間で押し広げられ、スタンパ５１のレンズパターン５２内に充填される。このときガラス基板４３の押圧力と紫外線硬化樹脂５３の供給量を調整することで、紫外線硬化樹脂５３の厚みを数μｍ〜数１００μｍまで制御することができる。
【００１９】
ついで、図９（ｂ）に示すように、ガラス基板４３を通して紫外線硬化樹脂５３に紫外線を照射すると、光硬化反応によって紫外線硬化樹脂５３が硬化し、スタンパ５１のレンズパターン５２が紫外線硬化樹脂５３に転写される。紫外線硬化樹脂５３が硬化すると、紫外線硬化樹脂５３によって成形された透明樹脂層４７をガラス基板４３と共にスタンパ５１から剥離する。
【００２０】
この後、図９（ｃ）に示すように、ガラス基板４２の上に先ほどの紫外線硬化樹脂５３と屈折率の異なる紫外線硬化樹脂５４を供給し、下面に透明樹脂層４７を成形されたガラス基板４３を紫外線硬化樹脂５４の上に重ねて押圧する。ガラス基板４３を押圧することによって紫外線硬化樹脂５４を透明樹脂層４７とガラス基板４２の間に押し広げた後、図９（ｄ）に示すように、ガラス基板４２を通して紫外線硬化樹脂５４に紫外線を照射し、紫外線硬化樹脂５４を硬化させることにより透明樹脂層４６を成形する。これにより、透明樹脂層４６、４７の間にマイクロレンズアレイ４４が成形される。
【００２１】
また、図１０（ａ）〜（ｄ）は上記スタンパ５１の製造方法を示している。まず図１０（ａ）に示すように、マイクロレンズアレイ４４のレンズパターンを有する原盤５５を製作した後、銀等のスタンパ材５６を原盤５５の表面に堆積させてスタンパ材５６で原盤５５の表面を覆い、電鋳法によりスタンパ材５６の上にニッケルを堆積させてスタンパ台５７を形成する。ついで、原盤５５を剥離し、図１０（ｂ）に示すように、スタンパ材５６とスタンパ台５７からなる予備スタンパ５８を得る。
【００２２】
この後、図１０（ｃ）のように、予備スタンパ５８を上下反転させ、再び予備スタンパ５８の上にさらにスタンパ材料５９を堆積させ、予備スタンパ５８の上に上記成形用スタンパ５１を成形する。この後、スタンパ５１を予備スタンパ５８から分離すると、図１０（ｄ）に示すように、レンズパターン５２を有するスタンパ５１が得られる。
【００２３】
【発明が解決しようとする課題】
上記のようにして、原盤５５の上に予備スタンパ５８のスタンパ材５６を成膜するとき、触媒を用いた無電解メッキによる原盤表面の導体化（メタライゼーション）についで、電解メッキによりスタンパ材５６を堆積させる。
【００２４】
しかし、この電解メッキプロセスにおいては、図１１に示すように、原盤５５に形成されているレンズパターン６０のうち谷の部分６０ａでは、いわゆるエッジ効果が生じ、谷の部分６０ａにおけるスタンパ材５６の堆積量が他の部分と比較して少ないか、全く堆積しなくなる。これによりレンズパターン６０の谷の部分６０ａではスタンパ材５６が堆積不良となり、スタンパ材５６の頂点部分がシャープに成形されない。この結果、スタンパ５１にも谷の部分や頂点の部分が丸みを帯びただれ部となっていた。
【００２５】
マイクロレンズアレイのレンズ形状が曲率の小さなものである場合には、レンズ形状の間の谷の部分が比較的浅くなるので、スタンパ５１もほぼシャープな形状に形成されるが、焦点距離の短いマイクロレンズアレイ基板を成形する場合には、レンズ形状の谷の部分が深く、狭くなるので、スタンパ材５６が原盤５５に堆積しにくく、スタンパ５１のだれ部が大きくなっていた。
【００２６】
こうしてだれ部の大きなスタンパ５１によってマイクロレンズアレイ基板４５を成形すると、スタンパ５１のだれ部もマイクロレンズアレイ４４に転写されるので、成形されたマイクロレンズアレイ４４でも図１２のようにマイクロレンズ間の境界にだれ部６１が生じる。
【００２７】
図１２に示すように、マイクロレンズアレイ基板４５に光（緑色光Ｇを図示）が入射したとき、レンズ境界以外の領域では、入射光は対向する画素開口６２Ｇに集光される。しかし、マイクロレンズアレイ４４にだれ部６１が生じていると、レンズ境界領域に入射した光はだれ部６１によって散乱され、迷光となって他の画素開口６２Ｒ、６２Ｂに入射する。この結果、画像がぼやけたり、輝度ばらつきが生じたりしてしまい、画像品質が低下する。特に、単板式カラー液晶表示装置の場合には、混色を生じるので、格段に画像が劣化する。しかも、液晶プロジェクタに用いる場合には、液晶表示パネル４１の画像がスクリーン上に拡大投影されるので、だれ部６１による画像の劣化が目立ち易かった。
【００２８】
また、屈折率分布型レンズ（後述する）を用いたマイクロレンズアレイ基板では、光を集光させた場合、球面収差のために一点に集光できず、マイクロレンズの効率を落とすという問題があった。
【００２９】
本発明は上述の技術的問題点を解決するためになされたものであり、その目的とするところは、マイクロレンズアレイの境界部分におけるだれ部等により、入射光が意図しない方向へ散乱されるのを防止することにある。
【００３０】
【課題を解決するための手段】
請求項１に記載のマイクロレンズアレイは、複数のマイクロレンズを２次元的に配列したマイクロレンズアレイにおいて、前記マイクロレンズの、マイクロレンズ間の境界のうち少なくとも１つの境界もしくはその付近に偏向手段を有し、前記偏向手段は、当該偏向手段を設けたマイクロレンズ間の境界に入射する光束を当該境界に沿った方向へ偏向させることを特徴としている。
【００３１】
請求項２に記載のマイクロレンズアレイは、請求項１に記載したマイクロレンズアレイにおける前記偏向手段が、前記マイクロレンズの配列面に対して垂直な方向から見たときに、当該偏向手段が設けられているマイクロレンズ間の境界と垂直な方向に一様な断面形状となったパターンによって構成されていることを特徴としている。
【００３２】
請求項３に記載のマイクロレンズアレイは、請求項１に記載のマイクロレンズアレイにおける前記偏向手段が、プリズムによって構成されていることを特徴としている。
【００３３】
請求項４に記載のマイクロレンズアレイは、請求項１に記載のマイクロレンズアレイにおける前記偏向手段が、回折格子によって構成されていることを特徴としている。
【００３４】
【作用】
請求項１に記載のマイクロレンズアレイにあっては、複数のマイクロレンズを２次元的に配列したマイクロレンズアレイにおいて、前記マイクロレンズの、マイクロレンズ間の境界のうち少なくとも１つの境界もしくはその付近に偏向手段を有し、前記偏向手段は、当該偏向手段を設けたマイクロレンズ間の境界に入射する光束を当該境界に沿った方向へ偏向させるように構成されているから、偏向手段を設けたマイクロレンズ間の境界領域に入射した光をだれ部などによって散乱される方向と直交する方向へ偏向させることができる。よって、マイクロレンズ間の境界領域に入射した光が意図しない方向へ散乱される場合でも、前記偏向手段によって意図しない方向へ散乱される光を妨げにならない領域へ偏向させることができる。
【００３５】
請求項２に記載のマイクロレンズアレイにあっては、請求項１に記載したマイクロレンズアレイにおける前記偏向手段が、前記マイクロレンズの配列面に対して垂直な方向から見たときに、当該偏向手段が設けられているマイクロレンズ間の境界と垂直な方向に一様な断面形状となったパターンによって構成されているから、マイクロレンズ間の境界に入射した光を、マイクロレンズ間の境界と垂直な方向に一様なパターンによる偏向作用を利用してマイクロレンズ間の境界に沿った方向へ偏向させることができる。しかも、この偏向手段は、マイクロレンズ間の境界と垂直な方向に一様なパターンとなっているから、偏向手段によってマイクロレンズ間の境界と垂直な方向へは散乱されない。
【００３６】
請求項３に記載のマイクロレンズアレイにあっては、請求項１に記載のマイクロレンズアレイにおける前記偏向手段が、プリズムによって構成されているから、レンズ境界に入射した光を当該プリズムによる屈折作用を利用してレンズ境界に沿った方向へ偏向させることができる。
【００３７】
請求項４に記載のマイクロレンズアレイにあっては、請求項１に記載のマイクロレンズアレイにおける前記偏向手段が、回折格子によって構成されているから、レンズ境界に入射した光を当該回折格子による回折作用を使用してレンズ境界に沿った方向へ偏向させることができる。
【００３８】
【発明の実施の形態】
（第１の実施形態）
図１３は本発明の一実施形態に係るマイクロレンズアレイを備えたカラー液晶表示パネル７１の構造を示す一部破断した断面図である。また、図１４はそのマイクロレンズアレイを形成されたマイクロレンズアレイ基板７２と画素構造を示す概略斜視図、図１５（ａ）は図１４のＸ−Ｘ線に沿ったマイクロレンズアレイ基板７２の断面図である。このマイクロレンズアレイ基板７２にあっては、２枚のガラス基板７３、７４の間隙に２層の透明樹脂層７５、７６が形成されている。マイクロレンズアレイ７７は透明樹脂層７６の表面（あるいは、透明樹脂層７５及び７６の界面）に形成されており、各透明樹脂層７５、７６の屈折率をｎ１、ｎ２とするとき、
ｎ１ ＜ ｎ２
となっている。例えば、図１５（ａ）に示す例では、厚みＡ＝１０００μｍのガラス基板７３と厚みＢ＝２００μｍのガラス基板７４の間に厚み合計がＣ＝２０μｍの透明樹脂層７５、７６を形成している。
【００３９】
このマイクロレンズアレイ基板７２は、液晶表示パネル７１の一方の封止基板として用いられており、光出射側の表面にＩＴＯ膜７８を形成し、その上にブラックマトリクス領域７９を形成し、ブラックマトリクス領域７９の開口に赤色光、緑色光、青色光を透過させるための画素開口８０Ｒ、８０Ｇ、８０Ｂを形成している。図１４に示す液晶表示パネル７１は単板式カラー液晶表示装置に用いられるものであるから、マイクロレンズアレイ７７は、赤、緑、青の３色の画素開口８０Ｒ、８０Ｇ、８０Ｂに対して１個のマイクロレンズ７７ａが対向している。液晶表示パネル７１のもう一方の封止基板（ガラス基板）８１には、画素電極８２とＴＦＴ８３が形成されている。マイクロレンズアレイ基板７２のブラックマトリクス領域７９を形成された面と封止基板８１のＴＦＴ８３を形成された面とは互いに対向し、周囲をスペーサ材８４により囲まれ、その間隙に液晶材料８５が封止されている。
【００４０】
マイクロレンズアレイ７７は凸レンズ状のマイクロレンズ７７ａを整然と配列したもので、各マイクロレンズ７７ａは液晶表示パネル７１の１絵素（赤、緑、青の３画素）と対向して配置されており、各マイクロレンズ７７ａは液晶表示パネル７１の絵素と同じ大きさを有している。例えば、図１４に示す例では、各絵素のサイズはＤ＝４５μｍ（赤、緑、青の各画素開口８０Ｒ、８０Ｇ、８０Ｂのサイズはｈ＝３０μｍ、ｉ＝１０μｍ）となっており、マイクロレンズ７７ａのサイズもＥ＝４５μｍとなっている。また、縦横に交差するブラックマトリクス領域７９のうちでも、一般に、ゲート配線上のブラックマトリクス領域７９ａは、信号配線上のブラックマトリクス領域７９ｂよりも幅が広く、図１４に示す例では、ゲート配線上のブラックマトリクス領域７９ａの幅はＦ＝１５μｍとなっており、信号配線上のブラックマトリクス領域７９ｂの幅はＧ＝５μｍとなっている。
【００４１】
マイクロレンズアレイ７７を構成するマイクロレンズ７７ａの境界のうち、画素開口８０Ｒ、８０Ｇ、８０Ｂの長辺方向と平行なレンズ境界８６（すなわち、信号配線上のブラックマトリクス領域７９ｂと平行なレンズ境界）には、複数の偏向素子８８が設けられている。各偏向素子８８は略プリズム状をしている。従って、このレンズ境界８６に入射した光（例えば、緑色光）は、図１６（ａ）に示すように、画素開口８０Ｇの両側のブラックマトリクス領域７９ａに向けて偏向される。
【００４２】
ここで、図１５（ｂ）に破線で示すように偏向素子８８が単なるプリズム状であれば、図１６（ｂ）に示すように、両側へ広がった光がブラックマトリクス領域７９ａの幅よりも広くてブラックマトリクス領域７９ａの外にはみ出す恐れがあるので、この実施形態では、図１５（ｂ）に実線で示すように各偏向素子８８の頂点をレンズ境界８６の中央から離れる方向へ向けて偏心させている。従って、図１６（ａ）に示すように、偏向素子８８の集光作用によってマイクロレンズアレイ７７のレンズ境界８６を通過した光がブラックマトリクス領域７９ａに集光される。
【００４３】
ただし、図１５（ａ）に示すように、１個のマイクロレンズ７７ａに対応するレンズ境界８６の両端部（正確にいうと、ゲート配線上のブラックマトリクス領域７９ａと対向する領域）には、偏向素子８８は設けられていない。このレンズ境界８６の両端部の領域では、レンズ境界８６のだれ部によりゲート配線方向と平行な方向に散乱が生じてもゲート配線上の比較的幅の広いブラックマトリスク領域７９ａ上へ散乱されるので、偏向素子８８を設ける必要がないからである。
【００４４】
また、画素開口８０Ｒ、８０Ｇ、８０Ｂの短辺方向と平行なレンズ境界８７（すなわち、ゲート配線上のブラックマトリクス領域７９ａと対向するレンズ境界）に偏向素子８８を設けていないのは、このレンズ境界８７におけるだれ部により入射光が散乱しても、信号配線方向と平行な方向へ散乱されて他色の画素開口内に光が入射する恐れが少ないからである。
【００４５】
しかして、図１７に示すように、マイクロレンズアレイ７７のうち１個のマイクロレンズ７７ａに入射する緑色光のみを考えると、マイクロレンズ７７ａの内部（レンズ境界８６、８７よりも内側）に入射した緑色光Ｇ１は、マイクロレンズ７７ａにより集光されて緑の画素開口８０Ｇに入射する。
【００４６】
また、画素開口８０Ｒ、８０Ｇ、８０Ｂの長辺方向と平行な（信号配線上のブラックマトリクス領域７９ｂと平行な）レンズ境界８６に入射した緑色光Ｇ２は、想像線（２点鎖線）で示したようにレンズ境界８６のだれ部によって当該レンズ境界８６に沿った方向と垂直な方向へ散乱され、赤の画素開口８０Ｒや青の画素開口８０Ｂへ入射する恐れがあるが、同時に当該レンズ境界８６に設けられた偏向素子８８により当該レンズ境界８６に沿った方向へ偏向させられ、ゲート配線上のブラックマトリクス領域７９ａ上に集光させられ、ブラックマトリクス領域７９ａで吸収される。
【００４７】
また、画素開口８０Ｒ、８０Ｇ、８０Ｂの短辺方向と平行な（ゲート配線上のブラックマトリクス領域７９ａと平行な）レンズ境界８７に入射した緑色光Ｇ３は、レンズ境界８７のだれ部によって当該レンズ境界８７に沿った方向と垂直な方向へ散乱されるが、この緑色光Ｇ３はゲート配線上のブラックマトリクス領域７９ａの方向と垂直な方向へ散乱され、幅の広いブラックマトリクス領域７９ａで吸収される。レンズ境界８６及び８７の交点に入射した緑色光Ｇ４は、マイクロレンズアレイ７７を直進してブラックマトリクス領域７９に入射し、ブラックマトリクス領域７９に吸収される。
【００４８】
なお、図示しないが、赤色光及び青色光についても同様である。その結果、レンズ境界８６、８７を通過した光が迷光となったり、混色を生じさせたりすることが無くなり、色分離性にすぐれたくっきりとした画像を得ることができる。
【００４９】
次に、上記マイクロレンズアレイ基板７２の製造方法を説明する。図１８はマイクロレンズアレイ基板７２を製造するためのスタンパを成形するための原盤の製造手順を示す斜視図である。まず、図１８（ａ）に示すように、ガラス基板９１の表面にポジ型のフォトレジスト９２ａを塗布する。ついで、成形しようとするマイクロレンズ母材９２のレンズ境界に相当する遮光部分を有するマスク（ポジティブ型のフォトレジスト９２ａの場合）を用い、各遮光部分がレンズ母材９２のレンズ境界に位置するようにしてマスクを位置決めしてフォトレジスト９２ａを露光する。
【００５０】
マスクを通してフォトレジスト９２ａに露光し、フォトレジスト９２ａを現像すると、図１８（ｂ）に示すように、ガラス基板９１上にはフォトレジスト９２ａからなるレンズ母材９２が残る。この後、全体をベーク（加熱）すると、レンズ母材９２が溶融し、溶融したレンズ母材９２は表面張力によって図１８（ｃ）にように表面が丸みを帯びる。
【００５１】
ついで、図１８（ｄ）に示すように、いずれか一方のレンズ配列方向のレンズ境界に電子ビーム（ＥＢ）描画法により、偏向素子のパターン９３を付加し、原盤９４を作製する。
【００５２】
この後は、図示しないが、従来例（図１０参照）においても説明したように、原盤９４からスタンパを作製する。スタンパが作製されれば、従来のマイクロレンズアレイ基板と同様にして（図９参照）２Ｐ法によりマイクロレンズアレイ基板７２が量産される。
【００５３】
（第２の実施形態）
図１９は本発明の別な実施形態によるマイクロレンズアレイ１０１を示す斜視図である。この実施形態にあっては、マイクロレンズアレイ１０１を構成するマイクロレンズ７７ａの境界のうち、画素開口８０Ｒ、８０Ｇ、８０Ｂの長辺方向と平行なレンズ境界８６（信号配線上のブラックマトリクス領域７９ｂと平行なレンズ境界）には、回折格子からなる複数の偏向素子１０２が設けられている。従って、このレンズ境界８６に入射した緑色光Ｇ６は、偏向素子１０２によって回折され、その１次回折光は、レンズ境界８６を含む面内で偏向される。
【００５４】
しかして、この場合も、マイクロレンズアレイ１０１の１個のマイクロレンズ７７ａに入射する緑色光のみを考えると、マイクロレンズ７７ａの内部（レンズ境界８６、８７よりも内側）に入射した緑色光Ｇ５は、緑の画素開口８０Ｇに入射する。また、画素開口８０Ｒ、８０Ｇ、８０Ｂの長辺方向と平行な（信号配線上のブラックマトリクス領域７９ｂと平行な）レンズ境界８６に入射した緑色光Ｇ６は、当該レンズ境界８６に設けられている偏向素子１０２により当該レンズ境界８６に沿った方向へ偏向させられ、ゲート配線上のブラックマトリクス領域７９ａ上に集光させられ、ブラックマトリクス領域７９ａで吸収される。図示しないが、緑色光及び青色光についても同様である。その結果、この実施形態でも、レンズ境界８６を通過した光が迷光となったり、混色を生じさせたりすることが無くなり、色分離性にすぐれたくっきりとした画像を得ることができる。
【００５５】
（第３の実施形態）
図２０は屈折率分布型レンズ１０７の配列からなるマイクロレンズアレイ１０６を用いたものであって、各屈折率分布型レンズ１０７の境界のうち、画素開口８０Ｒ、８０Ｇ、８０Ｂの長辺方向と平行なレンズ境界８６（信号配線上のブラックマトリクス領域７９ｂと平行なレンズ境界）には、プリズム状や回折格子状をした複数の偏向素子１０８が設けられている。従って、このレンズ境界８６に入射した光は、偏向素子１０８によって、このレンズ境界８６と平行な方向へ偏向される。
【００５６】
屈折率分布型レンズ１０７は、屈折率の異なる球殻状のレンズ層を同心状に積層したものであって、例えばイオン交換法によって製作される。イオン交換法は、ガラス板の表面の一点からイオンをガラス板内に等方的に拡散して屈折率を局部的に変化させマイクロレンズを形成する方法である。イオン交換法におけるイオン拡散は、等方的に行なわれるため、ガラス板内に形成されたマイクロレンズ（屈折率分布型レンズ１０７）は球面形状を有している。このため光源光を集光した場合、球面収差のために一点に集束できず、マイクロレンズの効率を落とすことになる。この傾向は液晶表示パネルへの入射光の傾斜角が大きくなるに従って顕著になる。
【００５７】
しかし、この実施形態では、屈折率分布型レンズ１０７の内部（レンズ境界８６、８７よりも内側）に入射した緑色光Ｇ７は、緑の画素開口８０Ｇに入射する。また、画素開口８０Ｒ、８０Ｇ、８０Ｂの長辺方向と平行な（信号配線上のブラックマトリクス領域７９ｂと平行な）レンズ境界８６に入射した緑色光Ｇ８は、当該レンズ境界８６に設けられている偏向素子１０８により当該レンズ境界８６に沿った方向へ偏向させられ、ゲート配線上のブラックマトリクス領域７９ａ上に集光させられ、ブラックマトリクス領域７９ａで吸収される。図示しないが、緑色光及び青色光についても同様である。その結果、この実施形態でも、球面収差の大きな縁部分を通過した光を画素開口外のブラックマトリクス領域７９ａへ偏向させて遮断することができ、レンズ境界８６を通過した光が迷光となったり、混色を生じさせたりすることが無くなり、色分離性にすぐれたくっきりとした画像を得ることができる。
【００５８】
【発明の効果】
請求項１に記載のマイクロレンズアレイによれば、複数のマイクロレンズを２次元的に配列したマイクロレンズアレイにおいて、前記マイクロレンズの、マイクロレンズ間の境界のうち少なくとも１つの境界もしくはその付近に、偏向手段を有し、前記偏向手段は、当該偏向手段を設けたマイクロレンズ間の境界に入射する光束を当該境界に沿った方向へ偏向させるように構成されているから、マイクロレンズ間の境界領域に入射した光をだれ部などによって散乱され易い方向と直交する方向へ偏向させることができる。
【００５９】
よって、本発明のマイクロレンズアレイによれば、マイクロレンズ間の境界領域に入射した光が意図しない方向へ散乱される場合でも、前記偏向手段によって意図しない方向へ散乱される光をブラックマトリクス領域等の妨げにならない領域（ブラックマトリクス領域等）へ偏向させることができる。また、マイクロレンズの球面収差が顕著な場合には、マイクロレンズ周囲の収差の大きな光をブラックマトリクス領域等へ偏向させることによって遮断することができる。
【００６０】
例えば、カラー液晶表示パネルにおいて画素開口内へ光を集光させる用途に用いられている場合には、マイクロレンズ間の境界に入射する光をブラックマトリクス領域へ偏向させることにより、マイクロレンズ間の境界に入射した光が迷光となって他の画素開口へ入射し、混色を起こしたりするのを防止することができる。
【００６１】
請求項２に記載のマイクロレンズアレイによれば、請求項１に記載したマイクロレンズアレイにおける前記偏向手段が、前記マイクロレンズの配列面に対して垂直な方向から見たときに、当該偏向手段が設けられているマイクロレンズ間の境界と垂直な方向に一様な断面形状のパターンによって構成されているから、マイクロレンズ間の境界に入射した光を、マイクロレンズ間の境界と垂直な方向に一様なパターンによる偏向作用を利用して当該境界に沿った方向へ偏向させることができる。しかも、この偏向手段は、マイクロレンズ間の境界と垂直な方向に一様なパターンとなっているから、偏向手段によって当該境界と垂直な方向へは散乱されず、偏向手段により、目的とする画素開口以外の画素開口へ光が偏向させられる恐れがない。
【００６２】
請求項３に記載のマイクロレンズアレイによれば、請求項１に記載のマイクロレンズアレイにおける前記偏向手段が、プリズムによって構成されているから、レンズ境界に入射した光を当該プリズムによる屈折作用を利用してレンズ境界に沿った方向へ偏向させることができる。
【００６３】
請求項４に記載のマイクロレンズアレイによれば、請求項１に記載のマイクロレンズアレイにおける前記偏向手段が、回折格子によって構成されているから、レンズ境界に入射した光を当該回折格子による回折作用を使用してレンズ境界に沿った方向へ偏向させることができる。
【図面の簡単な説明】
【図１】液晶プロジェクタの基本構成を示す図である。
【図２】マイクロレンズアレイを備えた液晶表示パネルを示す一部破断した斜視図である。
【図３】（ａ）（ｂ）は図２のマイクロレンズアレイの働きを説明するための図である。
【図４】単板式のカラー液晶表示装置の構成を示す概略図である。
【図５】図４のカラー液晶表示装置におけるマイクロレンズアレイの働きを説明する図である。
【図６】光源の大きさにより生じる有限な最小スポット径を説明する図である。
【図７】マイクロレンズアレイを用いた液晶表示パネルの問題点を説明する図である。
【図８】別な従来例による液晶表示パネルの一部を示す断面図である。
【図９】（ａ）（ｂ）（ｃ）（ｄ）は図８のマイクロレンズアレイ基板の製造方法を示す概略断面図である。
【図１０】（ａ）（ｂ）（ｃ）（ｄ）は図９（ａ）で用いたスタンパの製造方法を示す概略断面図である。
【図１１】原盤の上にスタンパ材とスタンパ台を堆積させた状態を示す拡大断面図である。
【図１２】図８の液晶表示パネルに用いるマイクロレンズアレイ基板の問題点を説明する図である。
【図１３】本発明の一実施形態によるマイクロレンズアレイ基板を用いた液晶表示パネルを示す一部破断した断面図である。
【図１４】同上のマイクロレンズアレイ基板の構造と液晶表示パネルの画素を示す一部破断した概略斜視図である。
【図１５】（ａ）は図１４に示したマイクロレンズアレイ基板のＸ−Ｘ線断面図、（ｂ）は（ａ）のレンズ断面を説明するための図である。
【図１６】（ａ）（ｂ）は上記マイクロレンズアレイに設けた偏向素子の作用を説明する図である。
【図１７】上記マイクロレンズアレイに入射した光が画素開口ないしブラックマトリクス領域に集光される様子を示す概略斜視図である。
【図１８】（ａ）（ｂ）（ｃ）（ｄ）は同上のマイクロレンズアレイの成形に用いられる原盤の製造方法を示す概略斜視図である。
【図１９】本発明の別な実施形態によるマイクロレンズアレイの一部を示す一部破断した拡大斜視図である。
【図２０】本発明のさらに別な実施形態によるマイクロレンズアレイの一部を示す一部破断した拡大斜視図である。
【符号の説明】
７２  マイクロレンズアレイ基板
７３、７４  ガラス基板
７５、７６  透明樹脂層
７７  マイクロレンズアレイ
７７ａ  マイクロレンズ
７９（７９ａ、７９ｂ）  ブラックマトリクス領域
８０Ｒ、８０Ｇ、８０Ｂ  画素開口
８６、８７  レンズ境界
８８  偏向素子（プリズム）
１０２  偏向素子（回折格子）
１０７  屈折率分布型レンズ
【図１】
0004032555.tif 000002
【図２】
0004032555.tif 000003
【図３】
0004032555.tif 000004
【図４】
0004032555.tif 000005
【図５】
0004032555.tif 000006
【図６】
0004032555.tif 000007
【図７】
0004032555.tif 000008
【図８】
0004032555.tif 000009
【図９】
0004032555.tif 000010
【図１０】
0004032555.tif 000011
【図１１】
0004032555.tif 000012
【図１２】
0004032555.tif 000013
【図１３】
0004032555.tif 000014
【図１４】
0004032555.tif 000015
【図１５】
0004032555.tif 000016
【図１６】
0004032555.tif 000017
【図１７】
0004032555.tif 000018
【図１８】
0004032555.tif 000019
【図１９】
0004032555.tif 000020
【図２０】
0004032555.tif 000021